(57)【要約】【課題】宛先設定にかかるユーザの手間をより低減することのできる画像処理装置を提供する。【解決手段】複合機１は、外部送信部３０によって外部（２０１、２０２ａ、２０２ｂ）にデータを送信することができ、記憶部４にて、この送信の宛先を記憶することができる。そして、送信依頼を受けたときに、制御部７にて、過去の所定期間内の宛先履歴から、最も送信回数の多い宛先をデフォルトとして設定することができる。【選択図】図１
2008085956.tif 000002
【特許請求の範囲】
【請求項１】
データを外部装置である宛先に送信する送信部と、
少なくとも所定期間内における送信の宛先履歴を、送信の依頼元と対応付けて記憶する記憶部と、
或る依頼元からデータの送信が依頼された場合に、上記或る依頼元に対応する上記所定期間内での２件以上の上記宛先履歴のうちで、送信回数の最も多い宛先を、この送信における宛先のデフォルトとする宛先設定部と、
を備える通信装置。
【請求項２】
原稿上の画像を読取可能な画像読取部と、
上記送信部が上記データとして上記画像を送信可能である請求項１に記載の通信装置と、
を備える画像処理装置。
【発明の詳細な説明】
【技術分野】
【０００１】
本発明は、データを外部に送信可能な通信装置及び当該通信装置を備える画像処理装置に関する。
【背景技術】
【０００２】
これまで、画像ファイル等を転送可能な通信端末において、ファイルの転送先の指定にかかる手間を省くための工夫がなされてきた。
【０００３】
例えば特許文献１に記載の技術では、複数の通信端末及びＷｅｂサーバがネットワークに接続されている。通信端末はＳＭＢ（Server Message Block）やＦＴＰ（File Transfer Protocol）等によるＷｅｂサーバは、各通信端末のアドレス等を記載した宛先一覧（ブラウズリスト）とブラウザ一覧を保持している。
【０００４】
特許文献１では、このようなネットワークにおいて、或る通信端末が他の通信端末に対しファイル転送を行う場合のブラウジングの動作として、次のような動作フローが記載されている。まず、Ｗｅｂサーバにアクセスしてブラウザ一覧を要求する。Ｗｅｂサーバから応答があり、ブラウザ一覧を取得したら、そのブラウザ一覧からブラウズリストを要求するブラウザを選択し、選択した名前に基づいてブラウズリストを要求する。要求したブラウズリストを取得できるまで、上記処理を行う。
【０００５】
以上の動作によってブラウズリストを取得、つまり共有フォルダ一覧を取得し、ユーザがこの共有フォルダ一覧から宛先を選択すると、この選択に基づいて、送信元の通信端末は、宛先通信端末に対してファイル転送を行う。
【０００６】
こうすることで、特許文献１は、ユーザによる宛先の入力がなくても、ファイル転送をすることができる、としている。
【特許文献１】特開２００５−８４９８１号公報（２００５年３月３１日公開）
【発明の開示】
【発明が解決しようとする課題】
【０００７】
しかし、上述の特許文献１の技術では、ユーザは宛先一覧から送信したい宛先を選択、指定しなければならず、ユーザにかかる手間が充分に低減されているとはいえない。
【０００８】
そこで、本発明は、データ送信におけるユーザの手間をより低減することのできる画像処理装置を提供することを目的とする。
【課題を解決するための手段】
【０００９】
請求項１の通信装置は、データを外部装置である宛先に送信する送信部と、少なくとも所定期間内における送信の宛先履歴を、送信の依頼元と対応付けて記憶する記憶部と、或る依頼元からデータの送信が依頼された場合に、上記或る依頼元に対応する上記所定期間内での２件以上の上記宛先履歴のうちで、送信回数の最も多い宛先を、この送信における宛先のデフォルトとする宛先設定部と、を備える。
【００１０】
これによって、上記通信装置は、宛先のデフォルトを設定することができる。さらに、このデフォルトとしては、依頼元毎の過去の送信状況に沿って、送信回数の多いものが設定される。無作為に宛先を選択するよりも、このデフォルトがその依頼元の希望する宛先である確率は高い。それゆえ、改めて宛先を設定し直す必要性は低くなる。
【００１１】
この通信装置は、請求項２の発明のように、原稿上の画像を読取可能な画像読取部と、上記送信部は上記データとして上記画像を送信可能である上記通信装置と、を備える画像処理装置に好適に利用することができる。
【００１２】
特に原稿から読み取った画像を送信する場合、送信の宛先は依頼元によって一定の傾向を示すことが多い。このような傾向に鑑みて、送信頻度の高い宛先がデフォルト設定されることは、ユーザにとって非常に利便性が高い。
【発明の効果】
【００１３】
本発明の通信装置は、宛先のデフォルトを設定することができる。さらに、このデフォルトとしては、ユーザ毎の過去の送信状況に沿って、送信回数の多いものが設定される。それゆえ、このデフォルトがユーザの希望する宛先である確率は高く、ユーザが宛先を入力したり、変更したりする必要性が低減される。
【発明を実施するための最良の形態】
【００１４】
以下、図面に基づいて、本発明の通信装置の実施の一形態について説明する。以下の実施形態は、本発明の通信装置を画像処理装置に利用したものであるが、本発明はこれに限定されるものではない。この通信装置は、例えば文書、音声等、画像以外のデータを送信する装置として利用することもできる。
【００１５】
また、以下では、画像処理装置として、プリンタ、コピー機、ファクシミリ機としての機能を有する所謂複合機（ＭＦＰ、Multi Function Peripheral）を例に挙げるが、本発明はこれに限定されるものではない。すなわち、本実施の形態の複合機について、画像を外部装置に送信する機能以外、他の具体的な構成については適宜変更可能である。
【００１６】
〔１〕複合機１の構成
図１は、本発明の実施の一形態である複合機１の要部構成を示すブロック図である。複合機１は、スキャナ２、出力部３、記憶部４、画像処理部５、操作・表示部６、及び制御部７を備える。また、出力部３は、上記外部送信部３０及び印刷部３２等を備える。このうち、出力部３、記憶部４、制御部７が、通信装置としての機能を果たす。
【００１７】
スキャナ２は、ＣＣＤ等のイメージセンサ、さらにイメージセンサからから出力されたアナログ信号をデジタル化するＡＤコンバータ等を備え、原稿上の画像を読み取って画像データを取得することができる。
【００１８】
記憶部４は、スキャナ２が取得して出力した画像データを受け取り、記憶することができる。また、記憶部４は、外部送信部３０からの送信の宛先履歴を送信依頼元と対応付けて記憶することができる。記憶部４は、制御部７が宛先をデフォルト設定するために、少なくとも後述する所定期間の宛先履歴を記憶していればよく、全ての宛先履歴を記憶しておく必要はない。宛先履歴についての詳細は後述する。
【００１９】
画像処理部５は、記憶部４から出力された画像データを送信用の画像データ（以下、送信用画像データと称する場合がある）に変換して出力部３にする。
【００２０】
外部送信部３０は、ＬＡＮ２００を介してファイルサーバ２０１又はクライアントＰＣ２０２ａ・２０２ｂ等にデータを送信することができる。外部送信部３０は、ＦＴＰ及びＳＭＰ等のプロトコルによって、ファイルサーバ２０１との間、及びクライアントＰＣ（２０２ａ、２０２ｂ）との間で、ファイルの共有及びファイルの転送を行うことができる。また、印刷部３２は、画像データを用紙上に印刷出力する。
【００２１】
操作・表示部６は、液晶表示装置等の表示装置６Ａ、並びに、テンキー、スタートキー、ストップキー、及びキャンセルキー等のハードキー群６Ｂ等を備え、ユーザに種々の情報を提示すると共に、ユーザからの入力を受け付ける（図２）。ハードキー群６Ｂには特に、機能選択キーとして送信機能キー６Ｃが含まれる。
【００２２】
制御部７は、操作・表示部６又はＬＡＮ２００等を介して外部から受け取った指示に応じて、複合機１の各部との間でデータ信号及び制御信号の送受信を行い、画像処理動作、データ送信動作等を統括的に制御するものである。具体的には、制御部１は、ＣＰＵ（Central Processing Unit）、ＲＯＭ（Read Only Memory）、及びＲＡＭ（Random Access Memory）等によって構成可能である。ＣＰＵは種々の演算を行い、プログラムを実行することがきる。ＲＯＭにはＣＰＵによって行われる制御に関するプログラムや、複合機１内の各部の動作に関するプログラム等が格納されている。また、ＲＡＭは、ＣＰＵの作業領域として機能する他、ユーザの入力内容等を保持する領域等を有している。
【００２３】
〔２〕宛先設定
制御部７は、特に、宛先のデフォルトを設定する宛先設定部として機能する。すなわち、制御部７は、記憶部４の記憶内容から、所定期間における宛先履歴中で送信回数の最も多い宛先を、新たに依頼された送信における宛先のデフォルトとして設定することができる。
【００２４】
このように、送信頻度の高い宛先をデフォルトとして設定するので、複合機１を用いたデータ送信において、ユーザが宛先を設定する必要性が低減される。また、たまにしか送信しない宛先はデフォルトに設定されないため、宛先を設定しなおす必要性は低くなる。また、頻繁に送信する宛先がデフォルトにされるので、宛先間違いによる誤送信が起こりにくくなる。
【００２５】
特に原稿から読み取った画像について、送信宛先はユーザによって一定の傾向を示すことが多い。これは、原稿から読み取った画像の送信宛先としてユーザが指定するのは自分の端末であることが多く、ユーザによって使用する端末は一定であることが多いからである。また、他の端末にデータを送信する場合でも、控え等の目的でユーザが自らの使用する端末にデータを送信することも多い。このような傾向に鑑みて、送信頻度の高い宛先がデフォルトに設定されることは、ユーザにとって非常に利便性が高い。
【００２６】
なお、「所定期間」とは、特に限定されるものではなく、過去のどの時点に設定するかはユーザの好み、宛先の傾向、その他複合機１の使用状況等に併せて、適宜変更可能である。例えば、所定期間を、前回の送信を含むか、または現時点に時間的に近い期間とすることで、時間の経過に応じて送信頻度の高い宛先が変化してきても、この変化をデフォルトの設定によく反映させることができる。また、季節毎、曜日毎、又は月の前半若しくは後半毎等、宛先に一定の傾向が見られるような期間を設定することができる。
【００２７】
また、この「所定期間」は、時間軸上におけるその設定位置だけでなく、その長さも適宜変更可能である。所定期間の幅を変えることで、宛先設定の判断対象となる送信件数も変わるため、設定される宛先の傾向も変わる。例えば特定の宛先に送信が集中して、他の宛先にはほぼ送信しないような場合は、所定期間の幅を大きくすることで、送信頻度の小さい宛先はデフォルトに設定されないので、デフォルトの宛先を改めて設定しなおす必要性が低減される。逆に、多様な宛先に送信する場合には、所定期間の幅を小さくすることで、宛先の傾向の変化に対応することができる。
【００２８】
なお、「所定期間」の幅は、その設定位置と同じく特に限定されるものではなく、ユーザの好み、宛先の変動状況、複合機１の使用状況等に追応じて適宜変更可能である。例えば、宛先の変動状況によりよく対応するには、所定期間に含まれる件数をより少なくすることが好ましい。但し、送信頻度に基づいてより正確にデフォルトを設定するためには、所定期間に含まれる送信件数は２以上であることが好ましい。
【００２９】
また、「所定期間」とは、一定の時間幅であってもよいし、一定の送信件数であってもよい。つまり、例えば或る時間幅（例えば昨日中等）を指定して、その時間幅中に含まれる全ての宛先履歴から、送信回数の最も多い宛先をデフォルトに設定してもよい。また、例えば昨日、電源が投入されてから最初のＮ件の送信の宛先履歴から、送信回数の最も多い宛先をデフォルトに設定してもよい。
【００３０】
なお、このＮ件分の送信は連続していることが好ましい。図３に所定期間の設定の例を示す。制御部７は、宛先のデフォルトを、前回の送信を含む連続したＮ件の宛先履歴（所定期間ｉとして示す）に基づいて設定してもよいし、過去の任意の時点におけるＮ件の宛先履歴（所定期間jとして示す）に基づいて設定してもよい。所定期間ｉを宛先決定の判断対象とすることで、宛先の傾向の変化によりよく対応することができる。
【００３１】
なお、本実施形態において「送信件数」とは単なる宛先の数ではなく、一のデータの送信回数であるということもできる。つまり、或るデータを、一の宛先に送信する場合も、一度に複数の宛先に送信する場合も、「送信件数」は１件と数えるものとする。
【００３２】
また、所定期間中における送信頻度が同一である宛先が複数ある場合は、例えば制御部７は、送信頻度が互いに同一である複数の宛先のうち、より新しい履歴の宛先、言い換えるとより後に送信された宛先をデフォルトとする（設定方法（１））ことができる。このようにデフォルトを設定することで、宛先の傾向の変化によりよく対応することができる。
【００３３】
また、このように、より後で送信された宛先をデフォルトに設定する場合、送信頻度が互いに同一である複数の宛先に同時にファイルが送信されていた、ということも考えられる。すなわち、送信頻度と直近に送信されたタイミングとの両方が同一である宛先が複数ある場合である。そこで、１件の送信における宛先の受付順序を記憶部４が記憶するようにして、この受付順序から最初にユーザから入力された宛先を制御部７が、デフォルトとする（設定方法（２））ようにしてもよい。１件の送信において、ユーザが最初に入力した宛先は、送信先としてユーザが最も重要と考える宛先であることが多いからである。
【００３４】
より具体的に、図１０を参照して説明する。図１０では、過去に宛先ａ〜ｄにファイルを送信しており、宛先は古い履歴から順に（ａ，ｂ）、（ａ，ｃ）、（ｂ，ｃ）、（ｄ）となっている。なお、一つの括弧が一件の送信の宛先を意味し、１つの括弧内の宛先について、左から右に順に入力されたものとする。
【００３５】
図１０の例では、宛先ａ、ｂ、ｃが送信回数２回ずつで同数である。また、宛先ｂ及びｃに同一タイミングで送信されているので、上記設定方法（１）でもデフォルトは決定しない。そこで、設定方法（２）により、前々回の送信で先に入力されている宛先ｂが制御部７によりデフォルトに設定される。
【００３６】
また設定方法（１）及び（２）以外に、送信頻度が互いに同一である複数の宛先のうち、より後に入力を受け付けた宛先をデフォルトとする（設定方法３）ようにしてもよい。この場合、図１０の例では宛先ｃがデフォルトに設定される。
【００３７】
また、このようなデフォルト設定方法と他の設定方法とを組み合わせて用いてもよい。例えば、送信件数がＮ件に満たない間は、前回の宛先をデフォルトとし、送信件数がＮ件に達したところで送信頻度に基づいてデフォルトを設定するようにしてもよい。
【００３８】
また、「宛先」とは、ファクシミリ番号、フォルダの位置（ＵＲＬ等）、電子メールアドレス、プリンタ名又はその設置場所等とすることができる。
【００３９】
また、「宛先履歴」は、通常の宛先（以下、通常宛先と称する）の履歴には限られず、ＣＣ（Carbon Copy）の宛先（以下、ＣＣ宛先と称する）の履歴であってもよい。同様に、制御部７が設定する「宛先」は、通常宛先には限られず、ＣＣ宛先であってもよい。
【００４０】
すなわち、記憶部４は、通常宛先又はＣＣ宛先のうちの少なくとも一方、好ましくは両方を記憶するようになっている。両方を記憶する場合、記憶部４は、通常宛先とＣＣ宛先とを区別せずに記憶してもよいし、これらを区別して記憶してもよい。区別する場合は、通常宛先とＣＣ宛先とを別個に独立して記憶してもよいし、個々の通常宛先とＣＣ宛先とを関連付けて記憶してもよい。
【００４１】
制御部７も同様に、宛先履歴に基づいて、通常宛先又はＣＣ宛先のうちの少なくとも一方のデフォルトを設定することができる。例えば制御部７は、記憶部４の記憶内容に基づいて、通常宛先とＣＣ宛先とを全て集計した中から、送信回数の最も多い宛先を通常宛先のデフォルトとするようになっていてもよい。
【００４２】
ユーザは、他の宛先へ送信すると共に、控え等の目的で特定の宛先に頻繁にデータ送信することがある。その場合、この控えの宛先は通常宛先及びＣＣ宛先のどちらでも入力され得る。このデフォルト設定方法だと、通常宛先及びＣＣ宛先の両方を通じて送信回数の最も多い宛先がデフォルトに設定されるので、控えの送信漏れを防ぐことができる。
【００４３】
また、制御部７は、通常宛先及びＣＣ宛先の両方のデフォルトを設定可能になっていてもよい。両方のデフォルトを設定する場合、制御部７は通常宛先の履歴から送信回数の最も多い宛先を通常宛先のデフォルトとし、この通常宛先のデフォルトには関係なく、ＣＣ宛先の履歴中から送信回数の最も多い宛先をＣＣ宛先のデフォルトとしてもよい。また、通常宛先のデフォルトを同様に設定し、宛先履歴から、この通常宛先のデフォルトのＣＣ宛先として送信された回数が最も多い宛先をＣＣ宛先のデフォルトとしてもよい。
【００４４】
制御部７が通常宛先及びＣＣ宛先の両方のデフォルトを設定する方法のうち、通常宛先とＣＣ宛先とをそれぞれ独立して設定する方法は、通常宛先とＣＣ宛先とで別の傾向がある場合（例えば通常宛先にかかわらず、常に自分の端末等、特定の端末にファイルを送信する場合等）に好適である。それに対して、通常宛先に合わせてＣＣ宛先を設定する方法は、通常宛先とＣＣ宛先との間に相関関係がある場合（例えば、或る宛先Ａに送るときにはＣＣ宛先をＢとすることが多い場合等）に好適である。
【００４５】
なお、通常宛先履歴とＣＣ宛先履歴とは、同じ「所定期間」において集計された履歴であることが好ましいが、異なる期間において集計された履歴であってもよい。
【００４６】
〔３〕画像送信時の動作例
以下、複合機１が、画像を他の装置に送信する際の処理動作の一例について、以下、図４〜８を参照してより具体的に説明する。本例では、制御部７は、前回の送信から遡ってＮ回分の宛先履歴から、送信回数の最も多い宛先をデフォルトとして設定するようになっている（図３の所定期間ｉ）。本例にてＮは２以上の自然数である。詳細は以下の通りである。
【００４７】
図４〜６は、データ送信時の処理動作の流れを示すフローチャートである。
【００４８】
図４に示すように、操作・表示部６を介してユーザがデータ送信機能を選択すると、以下の一連の動作が開始される。まず、制御部７はユーザを特定する（Ｓ１）。具体的には、表示装置６Ａに、ユーザ確認画面を表示させる。ユーザ確認画面は、ユーザからユーザ名及びパスワードの入力を受け付ける画面である。これらの入力内容に基づいて、制御部７はユーザ、すなわち送信依頼元を特定する。また、この情報はファイルサーバ‐クライアントＰＣ間の認証処理にも使用される。
【００４９】
記憶部４がＮ件分の宛先履歴を記憶していない場合（Ｓ２でＮｏ）、又はユーザの希望によりユーザの手入力により宛先が決定される場合は図５の動作（Ｉ）に、記憶部４がＮ件分の宛先履歴を記憶しており（Ｓ２でＹｅｓ）、それに基づいて宛先のデフォルトを設定する場合は図６の動作（ＩＩ）を行う。
【００５０】
（Ｉ）手入力により宛先が決定される場合の動作
本動作では、制御部７は、操作・表示部６を介してユーザからの宛先の入力を受け付け、この受け付け内容に基づいて宛先を設定する（Ｓ１１）。
【００５１】
具体的には、表示装置６Ａに、宛先受付画面が表示される。宛先受付画面は、ユーザから画像データの宛先の入力を受け付ける画面である。その一例として宛先受付画面６０を図７に示す。宛先受付画面６０には、宛先を表示する宛先表示欄６１、アドレス帳キー６２、短縮キー群６３、詳細／修正キー６４、削除キー６５、及び再宛先キー６６等が表示される。
【００５２】
ユーザから宛先（通常宛先、必要に応じてＣＣ）が入力されるまでは、宛先表示欄６１は空欄となっている。ユーザがアドレス帳キー６２を押下すると、表示装置６Ａには予め記憶部４に記憶されている宛先の一覧が表示される。ユーザはこの一覧から宛先を選択することができる。また、記憶部４は、短縮宛先として宛先を記憶しておくこともできる。この短縮宛先として記憶された宛先は、短縮キー群６３として表示される。ユーザは、この短縮キー群６３を押下することで、宛先を入力することもできる。
【００５３】
宛先が入力されると、表示装置６Ａに、図８に示すような確認画面７０が表示され（Ｓ１２）、複合機１は画像送信指示を受付可能となる。確認画面７０は、宛先表示欄６１にＳ１１で入力された宛先が表示される以外は、宛先受付画面６０とほぼ同一である。一旦入力された宛先について詳細／修正キー６４が押下されると、操作・表示部６は、その詳細を表示したり、修正を受け付けたりすることができる。また、削除キー６５が押下されると、制御部７は、一旦宛先に設定されたファクシミリ番号又は電子メールアドレス等を、宛先から削除する。また、再宛先キー６６が押下されると、これまでに設定された宛先は全て削除され、新たな宛先設定が可能となる。一旦入力された事項について変更入力を受け付ける毎に、表示装置６Ａには変更を反映した新たな確認画面７０が表示される。
【００５４】
確認画面７０が表示された状態で、ユーザが図示しない載置台に原稿を載せ、ハードキー群６Ｂ中のスタートキーを押下すると、制御部７の制御の下スキャナ２による画像読み取りが実行される（Ｓ１３〜Ｓ１５）。
【００５５】
そして、制御部７の制御の下に、スキャナ２から記憶部４、画像処理部５を経て得られた送信用画像データは、外部送信部３０に送られる。画像データをスキャナ２による読取以外で得る場合、例えばＬＡＮ２００を介して外部ＰＣから受け取ったり、外部ファクシミリ装置から受け取ったりした場合は、適宜ユーザから送信指示を受け付けると、画像読取動作（Ｓ１５）は行なわず、それぞれの場合に合わせて適宜処理が行われる。
【００５６】
その後、外部送信部３０は、制御部７の制御の下、送信用画像データを指定された宛先に送信する（Ｓ１６）。このときの宛先は、宛先履歴として、ユーザ名毎に記憶部４に記憶される（Ｓ１７）。
【００５７】
上記Ｓ１３でスタートキーが押下されなければ、動作の中止指示があるまで、すなわち画面上の中止キーまたはハードキー群Ｂ中のキャンセルキーが押下されるまで、確認画面７０は表示され、中止指示があれば（Ｓ１８でＹｅｓ）、データ送信、宛先記憶等の動作は行わずに動作は終了される。
【００５８】
（ＩＩ）宛先履歴に基づいて宛先のデフォルトを設定する場合の動作
次に、図５の送信動作がＮ回行われ、記憶部４にＮ回分の送信の宛先履歴が蓄積された後の複合機１の動作について、図６のフローに沿って説明する。以下、図５と同一の動作については同符号を付して、適宜説明を省略する場合がある。
【００５９】
上述のＳ１でのユーザの特定結果に基づき、制御部７は、記憶部４の記憶内容に基づいて、このユーザに対応する前回からＮ回の送信の宛先履歴中で、送信回数の最も多い宛先をデフォルトとして設定する（Ｓ２１）。
【００６０】
制御部７は、表示装置６Ａに宛先表示欄６１にこの宛先のデフォルトを表示した確認画面７０を表示させることで、ユーザに宛先の確認を促すことができる（Ｓ２２）。確認画面７０を介してユーザから宛先の変更が入力されると、この入力に従い宛先が変更される（Ｓ２３、Ｓ２４）。
【００６１】
宛先が設定された状態で原稿が載置されてスタートキーが押下されると、上述したようにスキャナ２が画像読取を実行し（Ｓ１３〜Ｓ１５）、Ｓ２１にて設定された宛先のデフォルト、又はその後Ｓ２３で変更された宛先に、送信用画像データが送信される（Ｓ１６）。
【００６２】
記憶部４は今回のデータ送信の宛先を記憶し（Ｓ１７）、次の送信時には、制御部７は、現送信の宛先を含むＮ件の宛先履歴（図３中に所定期間ｉ’として示す）に基づいて宛先のデフォルトを設定する。
【００６３】
本例では、制御部７が、前回の送信を含むＮ件の送信の宛先履歴から宛先をデフォルト設定するようになっている。そのため、このＮ件の宛先履歴は送信実行の度に更新され、ユーザが希望する宛先の傾向が変化しても、自動的にその変化に対応したデフォルトを設定することができる。つまり、ユーザが入力を別に行ってデフォルトを変更させる必要がない。
【００６４】
また、図９に示すように宛先表示欄６１に通常宛先表示欄６１ａ及びＣＣ宛先表示欄６１ｂを設けることができ、上述したように、通常宛先の他にＣＣ宛先についてもデフォルト設定が可能である。
【００６５】
また、複合機１において、表示装置６Ａに所定のキーを表示し、このキーを介して、宛先履歴の全て又は一部の削除をユーザから受け付けることができるようにしてもよい。
【００６６】
これ以外にも、本発明の目的を達成することができる範囲で、従来公知の構成を適宜利用することができる。
【図面の簡単な説明】
【００６７】
【図１】本発明の実施の一形態である複合機の要部構成を示すブロック図。
【図２】本発明の実施の一形態にかかる操作・表示部の要部構成を示す平面図。
【図３】所定期間の設定の一例を示す図。
【図４】上記複合機における画像送信動作の一部を示すフローチャート。
【図５】画像送信の宛先をユーザの手入力に基づいて設定する場合の画像送信動作を示すフローチャート。
【図６】宛先をデフォルト設定する場合の画像送信動作を示すフローチャート。
【図７】上記複合機の画像送信動作における宛先受付画面を示す図。
【図８】上記複合機の画像送信動作において宛先が入力された後の確認画面を示す図。
【図９】上記複合機の画像送信動作における宛先受付画面の他の例を示す図。
【図１０】送信履歴の一例を示す図。
【符号の説明】
【００６８】
１      複合機（画像処理装置）
２      スキャナ（画像読取部）
３      出力部
３０    外部送信部
４      記憶部
５      画像処理部
６      操作・表示部
７      制御部（宛先設定部）
【図１】
2008085956.tif 000003
【図２】
2008085956.tif 000004
【図３】
2008085956.tif 000005
【図４】
2008085956.tif 000006
【図５】
2008085956.tif 000007
【図６】
2008085956.tif 000008
【図７】
2008085956.tif 000009
【図８】
2008085956.tif 000010
【図９】
2008085956.tif 000011
【図１０】
2008085956.tif 000012